(57)【要約】【課題】本発明の課題は、出射光の均一性を向上させる導光板及びこれを用いた簡単な構造のバックライトモジュールを提供することである。【解決手段】本発明に係る導光板は、複数の第一微細構造がマトリックス状に配置された底面と、前記底面に対向しており、且つ複数の第二微細構造がランダムに配置された光出射面と、を備える。前記第一微細構造の寸法は、前記第二微細構造の寸法より大きく、前記第一微細構造の密度は、前記第二微細構造の密度より低い。又、本発明は、バックライトモジュールにも関する。【選択図】図３
2011138774.tif 000002
【特許請求の範囲】
【請求項１】
複数の第一微細構造がマトリックス状に配置された底面と、
前記底面に対向しており、且つ複数の第二微細構造が配置された光出射面と、
を備える導光板であって、
前記第一微細構造の寸法は、前記第二微細構造の寸法より大きく、前記第一微細構造の密度は、前記第二微細構造の密度より低いことを特徴とする導光板。
【請求項２】
前記第一微細構造及び前記第二微細構造は、半球状の突起及び半球状の凹部の中の一種であることを特徴とする請求項１に記載の導光板。
【請求項３】
請求項１又は請求項２に記載の導光板と、
前記底面及び前記光出射面を連結する前記導光板の側面に隣接して設けられた光源ユニットと、
前記導光板の底面の下方に位置すると共に、前記底面に対面する反射面を有する反射板と、
前記光出射面の上方に位置しており、互いに対向する平面及びプリズム面を有するプリズムシートと、
を備え、
前記平面が前記光出射面に対面し、
前記プリズムシートが複数の溝が設けられたプリズム面を有することを特徴とするバックライトモジュール。
【発明の詳細な説明】
【技術分野】
【０００１】
本発明は、導光板及びこれを用いたバックライトモジュールに関する。
【背景技術】
【０００２】
導光板は、液晶ディスプレイ（ＬＣＤ）のバックライトモジュールに広く用いられている。導光板は、光源から出射される光線を所望の方向又は軌跡に対して効果的に伝導する。しかし、前記導光板から出射される光線は均一でないことがある。
【０００３】
従来の技術では、前記導光板の光出射面に対面する面側に拡散板を設けることによって光線を均一に拡散させていた。しかし、前記拡散板の増加に伴い、バックライトモジュールの構造が複雑になっていた。
【発明の概要】
【発明が解決しようとする課題】
【０００４】
本発明の目的は、上記の問題を解決するために、出射光の均一性を向上させる導光板及びこれを用いた簡単な構造のバックライトモジュールを提供することである。
【課題を解決するための手段】
【０００５】
前記目的を達成するため、本発明に係る導光板は、複数の第一微細構造がマトリックス状に配置された底面と、前記底面に対向しており、且つ複数の第二微細構造がランダムに配置された光出射面と、を備える。前記第一微細構造の寸法は、前記第二微細構造の寸法より大きく、前記第一微細構造の密度は、前記第二微細構造の密度より低い。
【０００６】
前記目的を達成するため、本発明に係るバックライトモジュールは、上記導光板と、前記底面及び前記光出射面を連結する前記導光板の側面に隣接して設けられた光源ユニットと、前記導光板の底面の下方に位置すると共に、前記底面に対面する反射面を有する反射板と、前記光出射面の上方に位置すると共に、互いに対向する平面及びプリズム面を有するプリズムシートと、を備え、前記平面が前記光出射面に対面し、前記プリズムシートが複数の溝が設けられたプリズム面を有する。
【発明の効果】
【０００７】
本発明に係るバックライトモジュールにおいて、光源ユニットから出射される光線は、導光板の底面の第一微細構造によって拡散されてから、前記導光板の光出射面の第二微細構造によって再び拡散される。その結果、前記導光板の出射光が均一になって、拡散板を省略することができ、従って前記バックライトモジュールの構造が簡単になる。
【図面の簡単な説明】
【０００８】
【図１】本発明に係る導光板の構造を示す図である。
【図２】図１に示す導光板の別の視角からの構造を示す図である。
【図３】図１に示す導光板のＩＶ−ＩＶ線に沿う断面図である。
【図４】図１に示す導光板を用いたバックライトモジュールの構造を示す図である。
【発明を実施するための形態】
【０００９】
以下、図面を参照して、本発明の実施形態について説明する。
【００１０】
図１乃至図３を参照すると、本発明に係る導光板１０は、互いに対向する底面１００及び光出射面２００を備える。前記底面１００には、マトリックス状に配置された複数の第一微細構造１０２が形成されている。前記第一微細構造１０２は、半球状の突起又は半球状の凹部であることができる。前記光出射面２００には、ランダムに配置された複数の第二微細構造２０２が形成されている。前記第二微細構造２０２は、半球状の突起又は半球状の凹部であることができる。前記第一微細構造１０２の突起又は凹部の半球状の直径の寸法は、前記第二微細構造２０２の突起又は凹部の半球状の直径の寸法より大きい。前記第一微細構造１０２の密度は、前記第二微細構造２０２の密度より低い。
【００１１】
図４を参照すると、本発明に係るバックライトモジュール３０は、前記導光板１０と、光源ユニット３０２と、反射板３０４と、プリズムシート３０６と、を備える。
【００１２】
前記光源ユニット３０２は、前記導光板１０の底面１００及び光出射面２００を連結すると共に導光板１０の底面１００及び光出射面２００に直交する導光板１０の１つの側面に隣接して設けられており、ランプ３０８及びランプカバー３１０を備える。前記ランプ３０８は、前記底面１００と光出射面２００とを連結する上述の側面、すなわち光入射面に対向して設けられる。前記ランプカバー３１０は、前記ランプ３０８に対して前記光入射面と反対側に設けられ、前記ランプ３０８からの光線を前記光入射面に反射させる。前記ランプカバー３１０の横断面は、導光板１０の光入射面と反対側に突出して湾曲した放物線状である。
【００１３】
前記反射板３０４は、ポリエチレンテレフタレート（ＰＥＴ）のような高反射材料が被覆された反射面３１２を有する。前記反射板３０４は、前記導光板１０の底面１００の下方に位置し且つ前記底面１００に平行して設けられるため、前記反射面３１２は前記底面１００に対面する。
【００１４】
前記プリズムシート３０６は、前記光出射面２００の上方に位置しており、互いに対向する平面３１４及びプリズム面３１６を備える。前記プリズム面３１６には、複数の細長い溝３１８が設けられている。前記溝３１８は、２つの接続面３２０が互いに向かい合うように接することで構成される。前記プリズムシート３０６の前記平面３１４は、前記光出射面２００に対面しており、前記光出射面２００に平行して設けられる。前記プリズムシート３０６の溝３１８は、光出射角度を収束して、特定の範囲における前記プリズムシート３０６の出射光の輝度を向上させることができる。
【００１５】
前記バックライトモジュール３０を使用する時、前記ランプ３０８からの光線の一部は直接に前記導光板１０の光入射面に入射し、他の一部の光線は前記ランプカバー３１０によって反射された後に前記導光板１０の光入射面に入射する。光入射面を介して前記導光板１０に入った光線は前記底面１００へ進行する。底面１００に到達した光線の一部は、寸法がより大きい第一微細構造１０２によって反射されてから前記第二微細構造２０２によって拡散（屈折）される。底面１００に到達した光線の他の一部は、前記底面１００を通過してから前記反射面３１２によって反射されて再び前記底面１００から前記導光板１０に入り且つ寸法がより小さい第二微細構造２０２に拡散（屈折）される。前記ランプ３０８からの光線は、前記第一微細構造１０２によって一度拡散されてから、前記光出射面２００に照射して前記第二微細構造２０２によって再び拡散される。その結果、出射光が均一となる。
【００１６】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、添付の特許請求の範囲によって決まる。
【符号の説明】
【００１７】
１０  導光板
３０  バックライトモジュール
１００  底面
１０２  第一微細構造
２００  光出射面
２０２  第二微細構造
３０２  光源ユニット
３０４  反射板
３０６  プリズムシート
３０８  ランプ
３１０  ランプカバー
３１２  反射面
３１４  平面
３１６  プリズム面
３１８  溝
３２０  接続面
【図１】
2011138774.tif 000003
【図２】
2011138774.tif 000004
【図３】
2011138774.tif 000005
【図４】
2011138774.tif 000006